(57)【要約】  本発明は、４Ｄコンテンツを製作する４Ｄコンテンツ製作サービス提供方法及びシステム並びにこのためのコンテンツ製作装置に関する。４Ｄコンテンツ製作サービス提供システムは、写真、テキスト、及び動画のうちの少なくとも一つを含むコンテンツ資料とシノプシス情報及び映像時間情報とを送信し、コンテンツ及び特殊効果コードを受信してコンテンツの各再生区間に対応する特殊効果コードを選択し、選択された特殊効果コードを示す特殊効果選択情報を送信する端末装置と、端末装置から受信したシノプシス情報及び映像時間情報に基づきコンテンツ資料を用いてコンテンツを生成し、生成されたコンテンツ及び特殊効果コードを端末装置に送信し、端末装置から特殊効果選択情報を受信し、特殊効果選択情報を用いて４Ｄコンテンツを生成するコンテンツ製作装置と、を備える。本発明によれば、事業主は事業の拡張及び事業イメージの向上を図ることができ、ユーザーはコンテンツの選定及び製作に直接参画して４Ｄコンテンツを製作することができる。【選択図】図４
2016526320.tif 000002
【特許請求の範囲】
【請求項１】
写真、テキスト、及び動画のうちの少なくとも一つを含むコンテンツ資料とシノプシス情報及び映像時間情報とをコンテンツ製作装置に送信し、前記コンテンツ製作装置からコンテンツ及び特殊効果コードを受信してコンテンツの各再生区間に対応する特殊効果コードを選択し、該選択された特殊効果コードを示す特殊効果選択情報をコンテンツ製作装置に送信する端末装置と、
前記端末装置から受信したシノプシス情報及び映像時間情報に基づき前記コンテンツ資料を用いてコンテンツを生成し、該生成されたコンテンツ及び特殊効果コードを前記端末装置に送信し、前記端末装置から特殊効果選択情報を受信し、該特殊効果選択情報を用いて４Ｄコンテンツを生成するコンテンツ製作装置と、を備えることを特徴とする４Ｄコンテンツ製作サービス提供システム。
【請求項２】
前記端末装置は、再生日付、時刻、及び場所のうちの少なくとも一つを含む再生情報を送信し、
前記４Ｄコンテンツ製作サービス提供システムは、前記端末装置から受信した再生情報に基づき前記４Ｄコンテンツを再生するコンテンツ再生装置を更に備えることを特徴とする請求項１に記載の４Ｄコンテンツ製作サービス提供システム。
【請求項３】
前記コンテンツ再生装置は、前記４Ｄコンテンツに含まれる特殊効果コードにより椅子及び特殊効果装置を制御して特殊効果を発生させることを特徴とする請求項２に記載の４Ｄコンテンツ製作サービス提供システム。
【請求項４】
特殊効果コードを格納する格納部と、
端末装置から写真、テキスト、及び動画のうちの少なくとも一つを含むコンテンツ資料とシノプシス情報及び映像時間情報とを受信し、前記端末装置にコンテンツ及び前記格納部に格納された特殊効果コードを送信し、前記端末装置からコンテンツの各再生区間に対応する選択された特殊効果コードを示す特殊効果選択情報を受信する通信部と、
前記端末装置から受信したシノプシス情報及び映像時間情報に基づき前記コンテンツ資料を用いてコンテンツを生成する第１のコンテンツ生成部と、
前記端末装置から受信した特殊効果選択情報を用いて４Ｄコンテンツを生成する第２のコンテンツ生成部と、を備えることを特徴とするコンテンツ製作装置。
【請求項５】
前記特殊効果コードは、前記コンテンツの各再生区間に同期化させて特殊効果を発生させるために用いられることを特徴とする請求項４に記載のコンテンツ製作装置。
【請求項６】
前記４Ｄコンテンツは、特殊効果コードを含むことを特徴とする請求項４に記載のコンテンツ製作装置。
【請求項７】
コンテンツ製作装置の４Ｄコンテンツ製作サービス提供方法であって
端末装置から写真、テキスト、及び動画のうちの少なくとも一つを含むコンテンツ資料とシノプシス情報及び映像時間情報とを受信するステップと、
前記受信したシノプシス情報及び映像時間情報に基づき前記コンテンツ資料を用いてコンテンツを生成するステップと、
前記生成されたコンテンツ及び特殊効果コードを前記端末装置に送信するステップと、
前記端末装置からコンテンツの各再生区間に対応する選択された特殊効果コードを示す特殊効果選択情報を受信するステップと、
前記受信した特殊効果選択情報を用いて４Ｄコンテンツを生成するステップと、を有することを特徴とする４Ｄコンテンツ製作サービス提供方法。
【請求項８】
前記コンテンツを生成するステップは、前記シノプシス情報を用いて前記コンテンツ資料の順序を決定し、前記映像時間情報に基づきコンテンツの持続持間を決定するステップを含むことを特徴とする請求項７に記載の４Ｄコンテンツ製作サービス提供方法。
【請求項９】
生成された特殊効果コードを含む４Ｄコンテンツをコンテンツ再生装置に送信するステップを更に含み、
前記コンテンツ再生装置は、前記端末装置から再生日付、時刻、及び場所のうちのいずれか一つを含む再生情報を受信し、該受信した再生情報に基づき前記４Ｄコンテンツを再生することを特徴とする請求項７に記載の４Ｄコンテンツ製作サービス提供方法。
【請求項１０】
前記特殊効果コードは、前記コンテンツの各再生区間に同期化させて特殊効果を発生させるために用いられることを特徴とする請求項１に記載の４Ｄコンテンツ製作サービス提供システム。
【請求項１１】
前記４Ｄコンテンツは、特殊効果コードを含むことを特徴とする請求項１に記載の４Ｄコンテンツ製作サービス提供システム。
【発明の詳細な説明】
【技術分野】
【０００１】
本発明は、４Ｄコンテンツ製作サービス提供方法及びシステム並びにこのためのコンテンツ製作装置に関する。
【背景技術】
【０００２】
最近、映画を撮影するときに立体撮影装置を用いることにより、２次元映像だけではなく、同じ内容であるが現実感をより増強させた３次元立体映画が同時に公開される場合があり、これを上映するための専門立体映像館も建てられている。また、劇場の椅子に振動装置を取り付けて映画中の中低音のサウンドと連動させて椅子を自動制御により振動させることにより、より深い感じの音響が体験可能な４Ｄ椅子を採択する映画館も建てられている。更に、制限的ではあるが、観客に現実感を提供するために映像信号に様々な特殊効果信号を埋め込み、後映像信号に基づいて特殊効果を発生させて観客の嗅覚を刺激することにより、より映画に没入可能な環境を提供する方法が提案されている。
【０００３】
上述したように、従来の４Ｄ産業は一般の映画館や４Ｄライダー（ｒｉｄｅｒ）に限定されている。このため、４Ｄコンテンツは、４Ｄのために製作されたコンテンツと通常の映画に４Ｄ効果を与えたコンテンツとに分けられる。ユーザー特有のコンテンツの製作が行われる場合、４Ｄ選択の事例の数が増え、ユーザーは、通常のコンテンツではなくユーザー特有のコンテンツ（コマーシャルを含む）の製作を通して唯一性を有する４Ｄ効果を持つことができる。
【発明の概要】
【発明が解決しようとする課題】
【０００４】
本発明は、上記従来の問題点に鑑みてなされたものであって、本発明の目的は、ユーザーがコンテンツの選定及び製作に直接参画することで自分ならではの４Ｄコンテンツを製作することが可能な４Ｄコンテンツ製作サービス提供方法及びシステム並びにこのためのコンテンツ製作装置を提供することにある。
【課題を解決するための手段】
【０００５】
上記目的を達成するためになされた本発明の一態様による４Ｄコンテンツ製作サービス提供システムは、写真、テキスト、及び動画のうちの少なくとも一つを含むコンテンツ資料とシノプシス（梗概）情報及び映像時間情報とをコンテンツ製作装置に送信し、前記コンテンツ製作装置からコンテンツ及び特殊効果コードを受信してコンテンツの各再生区間に対応する特殊効果コードを選択し、該選択された特殊効果コードを示す特殊効果選択情報をコンテンツ製作装置に送信する端末装置と、前記端末装置から受信したシノプシス情報及び映像時間情報に基づき前記コンテンツ資料を用いてコンテンツを生成し、該生成されたコンテンツ及び特殊効果コードを前記端末装置に送信し、前記端末装置から特殊効果選択情報を受信し、該特殊効果選択情報を用いて４Ｄコンテンツを生成するコンテンツ製作装置と、を備えることを特徴とする。
【０００６】
上記目的を達成するためになされた本発明の一態様によるコンテンツ製作装置は、特殊効果コードを格納する格納部と、端末装置から写真、テキスト、及び動画のうちの少なくとも一つを含むコンテンツ資料とシノプシス（梗概）情報及び映像時間情報とを受信し、前記端末装置にコンテンツ及び前記格納部に格納された特殊効果コードを送信し、前記端末装置からコンテンツの各再生区間に対応する選択された特殊効果コードを示す特殊効果選択情報を受信する通信部と、前記端末装置から受信したシノプシス情報及び映像時間情報に基づき前記コンテンツ資料を用いてコンテンツを生成する第１のコンテンツ生成部と、前記端末装置から受信した特殊効果選択情報を用いて４Ｄコンテンツを生成する第２のコンテンツ生成部と、を備えることを特徴とする。
【０００７】
上記目的を達成するためになされた本発明の一態様によるコンテンツ製作装置の４Ｄコンテンツ製作サービス提供方法は、端末装置から写真、テキスト、及び動画のうちの少なくとも一つを含むコンテンツ資料とシノプシス（梗概）情報及び映像時間情報とを受信するステップと、前記受信したシノプシス情報及び映像時間情報に基づき前記コンテンツ資料を用いてコンテンツを生成するステップと、前記生成されたコンテンツ及び特殊効果コードを前記端末装置に送信するステップと、前記端末装置からコンテンツの各再生区間に対応する選択された特殊効果コードを示す特殊効果選択情報を受信するステップと、前記受信した特殊効果選択情報を用いて４Ｄコンテンツを生成するステップと、を有することを特徴とする。
【発明の効果】
【０００８】
本発明によれば、ユーザーがイメージ、テキスト、及び動画などを用いてコンテンツを製作し、製作されたコンテンツに４Ｄコードを適用して４Ｄコンテンツを製作することで４Ｄコンテンツ製作サービス提供方法及びシステム並びにこのためのコンテンツ製作装置を提供することが可能になり、これにより、事業主は事業の拡張及び事業イメージの向上を図ることができ、ユーザーはコンテンツの選定及び製作に直接参画して４Ｄコンテンツを製作することができる。
【図面の簡単な説明】
【０００９】
【図１】本発明の一実施形態による４Ｄコンテンツ製作サービス提供システムの構成を示す図である。
【図２】本発明の一実施形態によるコンテンツ製作装置のブロック図である。
【図３】本発明の一実施形態による端末装置のブロック図である。
【図４】本発明の一実施形態による４Ｄコンテンツ製作サービス提供方法を示すフローチャートである。
【発明を実施するための形態】
【００１０】
本明細書で用いる技術的用語は単に特定の実施形態を説明するために用いるものであり、本発明を限定するものではない。また、本明細書で用いる技術的用語は、本明細書で特に他の意味として定義しない限り、本発明が属する技術分野において通常の知識を有する者により一般的に理解される意味として解釈され、過度に包括的な意味として解釈されたり、或いは過度に縮小された意味として解釈されたりしてはならない。更に、本明細書で用いる技術的用語が本発明の思想を正確に表現し切れない誤った技術的用語である場合は、当業者が正常に理解可能な技術的用語に代替されて理解されるべきである。なお、本明細書で用いる通常の用語は、辞書に定義されているか、或いは前後の文脈に応じて解釈されなければならず、過度に縮小された意味として解釈してはならない。
【００１１】
また、本明細書で用いる単数の表現は、文脈からみて明らかに他の意味を有さない限り、複数の表現を含む。本明細書において、「構成される」又は「備える」などの用語は、明細書上に記載した複数の構成要素又は複数のステップを全て含むものと解釈してはならず、これらのうちの一部の構成要素又は一部のステップは含まれなくてもよく、或いは更なる構成要素又はステップを含むものと解釈すべきである。
【００１２】
更に、本明細書で用いる構成要素に対する接尾詞「モジュール」及び「部」は、明細書の作成し易さのみが考慮されて与えられたり混用されたりするものであり、それ自体が互いに区別される意味又は役割を有するものではない。
【００１３】
更にまた、本明細書で用いる第１、第２などの数を含む用語は、様々な構成要素を説明するために使用されるが、これらの構成要素は、これらの用語により限定されない。これらの用語は、ある構成要素を他の構成要素から区別するために用いられる。例えば、本発明の権利範囲を逸脱しない範囲で第１の構成要素は第２の構成要素と命名され、同様に第２の構成要素も第１の構成要素と命名される。
【００１４】
以下、本発明を実施するための形態の具体例について図面を参照しながら詳細に説明する。同一又は類似の構成要素に対しては同じ参照符号を付し、これに対する重複する説明は省略する。
【００１５】
また、本発明を説明するに当たって、関連する公知の技術に関する具体的な説明が本発明の要旨を曖昧にする虞がある場合、その詳細な説明を省略する。なお、図面は本発明の思想を理解し易くするために提供するものであり、図面により本発明の思想が制限されるものと解釈してはならない。
【００１６】
図１は、本発明の一実施形態による４Ｄコンテンツ製作サービス提供システムの構成を示す図である。
【００１７】
図１を参照すると、本実施形態による４Ｄコンテンツ製作サービス提供システムは、端末装置１１０、通信網１２０、コンテンツ製作装置１３０、及びコンテンツ再生装置１４０を含む。ここで、コンテンツ製作装置１３０及びコンテンツ再生装置１４０は、サーバーとして具現される。
【００１８】
端末装置１１０は、コンテンツを製作又は利用するユーザーの端末装置であり、パソコン（ＰＣ）、ノート型パソコン、携帯電話、タブレットＰＣ、ナビゲーション、スマートフォン、個人情報端末（ＰＤＡ：Ｐｅｒｓｏｎａｌ  Ｄｉｇｉｔａｌ  Ａｓｓｉｓｔａｎｔｓ）、ポータブルマルチメディアプレーヤー（ＰＭＰ：Ｐｏｒｔａｂｌｅ  Ｍｕｌｔｉｍｅｄｉａ  Ｐｌａｙｅｒ）、及びデジタル放送受信機などを含む。これらの端末装置は単なる例示であり、端末装置１１０は、上述した例に加えて、これまで開発されて商用化されたか又は今後開発されるあらゆる通信装置を含む。
【００１９】
このような端末装置１１０は、通信網１２０を介してコンテンツ製作装置１３０に接続されて、コンテンツの製作に必要な写真、テキスト、及び動画などを含むコンテンツ資料とシノプシス（梗概）情報及び映像時間情報とをコンテンツ製作装置１３０に送信し、送信された情報に対するコンテンツ製作装置１３０からの応答としてコンテンツ製作装置１３０で生成されたコンテンツ及び特殊効果コードを受信する。端末装置１１０は、コンテンツの各再生区間に対応する特殊効果コードを選択し、選択された特殊効果コードの情報をコンテンツ製作装置１３０に送信する。ここで、特殊効果コードは、コンテンツの各再生区間に同期化させて水、風、及び椅子の動きなどのような特殊効果を発生させるためのコードを意味する。
【００２０】
また、端末装置１１０は、通信網１２０を介してコンテンツ再生装置１４０に接続され、４Ｄコンテンツの再生に必要な日付、時刻、及び場所のような再生情報をコンテンツ再生装置１４０に送信する。
【００２１】
端末装置１１０、コンテンツ製作装置１３０、及びコンテンツ再生装置１４０を相互接続する通信網１２０は、あらゆるタイプの通信網が可能である。例えば、通信網１２０は、インターネットプロトコールを介して大容量データ送受信サービス及びシームレス（ｓｅａｍｌｅｓｓ）データサービスを提供するＩＰ網、ＩＰに基づいて異なる網を統合して構成されたＡｌｌ−ＩＰ網、Ｗｉｂｒｏ（ワイヤレスブロードバンド）網、Ｗｉ−Ｆｉ網を含む無線ＬＡＮ、ワイヤレス・パーソナル・エリア・ネットワーク（ＷＰＡＮ）、有線通信網、移動通信網、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、及び衛星通信網などのような周知の様々な方式のネットワークを一つ以上含む。加えて、通信網１２０は、次世代通信網も含む。
【００２２】
コンテンツ製作装置１３０は、端末装置１１０からコンテンツ資料、シノプシス情報、及び映像時間情報を受信し、受信したシノプシス情報及び映像時間情報に基づきコンテンツ資料を用いてコンテンツを生成する。コンテンツ製作装置１３０は、生成されたコンテンツ及び特殊効果コードを端末装置１１０に送信し、コンテンツ及び特殊効果コードに対する応答として端末装置１１０から特殊効果選択情報を受信し、受信した特殊効果選択情報を用いて特殊効果コードを含む４Ｄコンテンツを生成する。
【００２３】
また、コンテンツ製作装置１３０は、生成された４Ｄコンテンツをコンテンツ再生装置１４０に送信する。このために、コンテンツ製作装置１３０は、生成された４Ｄコンテンツをコンテンツ再生装置１４０で再生可能なフォーマットに変換する。
【００２４】
コンテンツ再生装置１４０は、コンテンツ製作装置１３０及び端末装置１１０から４Ｄコンテンツ及び再生情報をそれぞれ受信し、受信した再生情報に基づいて４Ｄコンテンツを再生する。ここで、コンテンツ再生装置１４０は、４Ｄコンテンツに含まれる特殊効果コードに応じて椅子や特殊効果装置などを制御することで水、風、及び椅子の動きなどのような特殊効果を発生させる。
【００２５】
図２は、本発明の一実施形態によるコンテンツ製作装置のブロック図である。
【００２６】
図２を参照すると、本実施形態によるコンテンツ製作装置１３０は、通信部２１０、第１のコンテンツ生成部２２０、第２のコンテンツ生成部２３０、及び格納部２４０を含む。
【００２７】
通信部２１０は、通信網１２０を介してデータを送受信する。より具体的に、通信部２１０は、端末装置１１０と通信して、コンテンツ製作に必要なデータを送受信する。即ち、通信部２１０は、端末装置１１０からコンテンツ資料、シノプシス情報、及び映像時間情報を受信し、第１のコンテンツ生成部２２０で生成されたコンテンツ及び特殊効果コードを端末装置１１０に送信し、端末装置１１０から特殊効果選択情報を受信する。
【００２８】
また、通信部２１０は、コンテンツ再生装置１４０と通信して、第２のコンテンツ生成部２３０で生成された４Ｄコンテンツをコンテンツ再生装置１４０に送信する。
【００２９】
第１のコンテンツ生成部２２０は、通信部２１０を介して端末装置１１０から受信したシノプシス情報及び映像時間情報に基づきコンテンツ資料を用いてコンテンツを生成する。
【００３０】
第２のコンテンツ生成部２３０は、通信部２１０を介して端末装置１１０から受信した特殊効果選択情報を用いて４Ｄコンテンツを生成する。
【００３１】
格納部２４０は、４Ｄコンテンツ製作サービスを提供するために必要な様々なデータ及びプログラムを格納する。より具体的に、格納部２４０は、コンテンツを格納するコンテンツＤＢ２４２及び特殊効果コードを格納する特殊効果ＤＢ２４４を含む。
【００３２】
図３は、本発明の一実施形態による端末装置のブロック図である。
【００３３】
図３を参照すると、本実施形態による端末装置１１０は、入力部３１０、制御部３２０、格納部３３０、出力部３４０、及び通信部３５０を含む。
【００３４】
入力部３１０は、ユーザーの入力に応じて、ユーザーの選択又はユーザーの指令に対応するユーザー入力信号を発生させる。このような入力部３１０は、多様な種類の入力装置として具現される。例えば、入力部３１０は、キーパッドやキーボードのようなキー入力手段、タッチセンサーやタッチパッドを含むタッチ入力手段、ジャイロセンサー、地磁気センサー、加速度センサー、近接センサー、及びカメラのうちの少なくとも一つを含むジェスチャ入力手段、並びに音声入力手段のうちの少なくとも一つを含む。これらに加えて、現在開発中であるか又は今後開発予定のあらゆる種類の入力手段を含む。従って、ユーザーは、入力部３１０を介してコンテンツ製作サービス要請、コンテンツ資料、シノプシス情報、映像時間情報、及び再生情報などを入力することができる。
【００３５】
制御部３２０は、入力部３１０を制御してユーザーからコンテンツ資料、シノプシス情報、及び映像時間情報を受信し、通信部３５０を制御して、受信したコンテンツ資料、シノプシス情報、及び映像時間情報をコンテンツ製作装置１３０に送信する。制御部３２０は、コンテンツ製作装置１３０から受信したコンテンツの各再生区間に対応する特殊効果コードを選択するための入力を受信して特殊効果選択情報を生成し、通信部３５０を制御して、生成された特殊効果選択情報をコンテンツ製作装置１３０に送信する。
【００３６】
また、制御部３２０は、入力部３１０を制御してユーザーからの再生情報を受信し、通信部３５０を制御して、受信した再生情報をコンテンツ再生装置１４０に送信する。
【００３７】
格納部３３０は、端末装置１１０の動作及び機能を行うために必要なデータ及びプログラムを格納する格納媒体である。本実施形態において、格納部３３０は、コンテンツの製作に必要な写真、テキスト、及び動画などを含むコンテンツ資料を格納する。格納部３３０は、随時書き込み読み出しメモリ（ＲＡＭ：Ｒｅａｄ  Ａｃｃｅｓｓ  Ｍｅｍｏｒｙ）及び読み出し専用メモリ（ＲＯＭ：Ｒｅａｄ  Ｏｎｌｙ  Ｍｅｍｏｒｙ）のようなメモリ、ハードディスクドライブ（ＨＤＤ：Ｈａｒｄ  Ｄｉｓｋ  Ｄｒｉｖｅ）、フラッシュメモリ、並びにコンパクトディスク読み出し専用メモリ（ＣＤ−ＲＯＭ）及びデジタル多目的ディスク（ＤＶＤ）のようなストレージを含む。
【００３８】
出力部３４０は、コンテンツの各再生区間に対応する特殊効果コードの選択を通してユーザーインタフェース画面を表示する。また、出力部３４０は、入力部３１０と一体形に設けられて、制御部３２０の制御の下でユーザーからのコンテンツ資料、シノプシス情報、及び映像時間情報を受信する。出力部３４０は、例えば、液晶表示素子（ＬＣＤ：Ｌｉｑｕｉｄ  Ｃｒｙｓｔａｌ  Ｄｉｓｐｌａｙ）、薄膜トランジスタ液晶表示素子（ＴＦＴ−ＬＣＤ：Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ）、発光ダイオード（ＬＥＤ：Ｌｉｇｈｔ  Ｅｍｉｔｔｉｎｇ  Ｄｉｏｄｅｓ）、有機発光ダイオード（ＯＬＥＤ：Ｏｒｇａｎｉｃ  Ｌｉｇｈｔ  Ｅｍｉｔｔｉｎｇ  Ｄｉｏｄｅｓ）、アクティブマトリクス式有機発光ダイオード（ＡＭＯＬＥＤ：Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ）、フレキシブルディスプレイ、３次元ディスプレイなどを含む。更に、出力部３４０は、現在開発されて商用化されたか又は技術開発に伴って具現化される表示手段を含む。
【００３９】
通信部３５０は、通信網１２０を介してデータを送受信する。より具体的に、通信部３５０は、通信網１２０を介してコンテンツ製作装置１３０と通信し、制御部３２０の制御の下でコンテンツ製作サービスの提供をコンテンツ製作装置１３０に要請するか、或いはコンテンツ製作のためのデータをコンテンツ製作装置１３０との間で送受信する。即ち、通信部３５０は、コンテンツ資料、シノプシス情報、及び映像時間情報をコンテンツ製作装置１３０に送信し、コンテンツ製作装置１３０からコンテンツ製作装置１３０で生成されたコンテンツ及び特殊効果コードを受信してコンテンツ製作装置１３０に特殊効果選択情報を送信する。
【００４０】
また、通信部３５０は、制御部３２０の制御の下で、受信した再生情報をコンテンツ再生装置１４０に送信する。
【００４１】
図４は、本発明の一実施形態による４Ｄコンテンツ製作サービス提供方法を示すフローチャートである。
【００４２】
図４を参照すると、コンテンツ製作装置１３０は、端末装置１１０からコンテンツ資料、シノプシス情報、及び映像時間情報を受信する（ステップＳ４１０）。
【００４３】
コンテンツ製作装置１３０は、受信したシノプシス情報及び映像時間情報に基づきコンテンツ資料を用いてコンテンツを生成する（ステップＳ４２０）。即ち、コンテンツ製作装置１３０は、シノプシス情報を用いてコンテンツ資料の順序を決定し、映像時間情報に基づいてコンテンツの持続持間、即ち実行時間を決定する。
【００４４】
コンテンツ製作装置１３０は、生成されたコンテンツ及び特殊効果コードを端末装置に送信する（ステップＳ４３０）。ここで、特殊効果コードは、コンテンツの各再生区間に同期化させて水、風、及び椅子の動きなどのような特殊効果を発生させるために用いられる。
【００４５】
次いで、コンテンツ製作装置１３０は、端末装置１１０から特殊効果選択情報を受信する（ステップＳ４４０）。特殊効果選択情報は、端末装置１１０によって選択されたコンテンツの各再生区間に対応する特殊効果コードに関する情報を意味する。
【００４６】
コンテンツ製作装置１３０は、受信した特殊効果選択情報を用いて４Ｄコンテンツを生成する（ステップＳ４５０）。ここで、４Ｄコンテンツは、各再生区間に対応する特殊効果コードを含む。
【００４７】
更に、コンテンツ製作装置１３０は、生成された４Ｄコンテンツをコンテンツ再生装置１４０に送信する（ステップＳ４６０）。コンテンツ再生装置１４０は、端末装置１１０から再生情報を受信し、受信した再生情報に基づき４Ｄコンテンツを再生する。コンテンツ再生装置１４０は、４Ｄコンテンツに含まれる特殊効果コードに応じて椅子や特殊効果装置などを制御することで水、風、及び椅子の動きなどのような特殊効果を発生させる。
【００４８】
上述した方法は、様々な手段、例えば、ハードウェア、フォームフェア、ソフトウェア、又はこれらの組み合わせにより具現される。
【００４９】
ハードウェアで構成される場合、本発明の実施形態による方法は、一つ以上の特定用途向け集積回路（ＡＳＩＣｓ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、デジタル信号プロセッサ（ＤＳＰｓ：Ｄｉｇｉｔａｌ  Ｓｉｇｎａｌ  Ｐｒｏｃｅｓｓｏｒｓ）、デジタル信号処理装置（ＤＳＰＤｓ：Ｄｉｇｉｔａｌ  Ｓｉｇｎａｌ  Ｐｒｏｃｅｓｓｉｎｇ  Ｄｅｖｉｃｅｓ）、プログラマブル論理デバイス（ＰＬＤｓ：Ｐｒｏｇｒａｍｍａｂｌｅ  Ｌｏｇｉｃ  Ｄｅｖｉｃｅｓ）、フィールドプログラマブルゲート（ＦＰＧＡｓ：Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどで具現される。
【００５０】
フォームウェアやソフトウェアで構成される場合、本発明の実施形態による方法は、モジュール、プロシジャー、関数などで具現される。例えば、ソフトウェアコードは、メモリユニットに格納されてプロセッサにより実行される。メモリユニットは、プロセッサの内部又は外部に配設されて周知の様々な手段により前記プロセッサとデータを送受する。
【００５１】
以上、本発明の実施形態について図面を参照しながら詳細に説明したが、各図面に示す実施形態は限定的に解釈されてはならず、本明細書の内容を熟知した当業者により組み合わせられ、組み合わせられる場合に一部の構成要素は省略可能である。
【００５２】
ここで、本明細書で用いた用語や単語は、通常的又は辞書的な意味に限定して解釈されてはならず、本明細書に開示した技術的思想に適合する意味及び概念として解釈されるべきである。
【００５３】
従って、本明細書に記載した実施形態及び図示した構成は、本明細書に開示した一実施形態に過ぎず、本明細書に開示した技術的思想を全て説明するものではないため、本出願時点においてこれらに取って代わる様々な均等物及び変形例があり得るということを理解しなければならない。
【符号の説明】
【００５４】
１１０    端末装置
１２０    通信網
１３０    コンテンツ製作装置
１４０    コンテンツ再生装置
２１０、３５０    通信部
２２０    第１のコンテンツ生成部
２３０    第２のコンテンツ生成部
２４０、３３０    格納部
２４２    コンテンツデータベース（ＤＢ）
２４４    特殊効果データベース（ＤＢ）
３１０    入力部
３２０    制御部
３４０    出力部
【図１】
2016526320.tif 000003
【図２】
2016526320.tif 000004
【図３】
2016526320.tif 000005
【図４】
2016526320.tif 000006
【国際調査報告】
2016526320.tif 000007
2016526320.tif 000008